(57)【要約】【課題】装置以外の部材が不要であり、設置が容易で、設置場所の自由度を高めることができる施解錠装置を提供する。【解決手段】施解錠装置１０は、鍵１２によって解錠位置および施錠位置の一方から他方に移動可能な錠前１４と、錠前１４が前記施錠位置にあるときに所定のコードが設定された場合に錠前１４の前記解錠位置への移動を可能とするダイヤル錠１６と、一端側が施解錠装置１０に取り付けられ、他端側に鍵１２が取り付けられた紐状体１８と、を備える。また、鍵１２によって錠前１４を前記解錠位置に移動させると、鍵１２が錠前１４から抜き取り可能となり、鍵１２によって錠前１４を前記施錠位置に移動させると、ダイヤル錠１６によって錠前１４の前記解錠位置への移動が規制されるとともに鍵１２が錠前１４から抜き取り不能になる。【選択図】図１
2020204154.tif 000002
【特許請求の範囲】
【請求項１】
鍵によって解錠位置および施錠位置の一方から他方に移動可能な錠前と、
前記錠前が前記施錠位置にあるときに所定のコードが設定された場合に前記錠前の前記解錠位置への移動を可能とするダイヤル錠と、
を備えた施解錠装置であって、
一端側が前記施解錠装置に取り付けられ、他端側に前記鍵が取り付けられた紐状体を備え、
前記鍵によって前記錠前を前記解錠位置に移動させると、前記鍵が前記錠前から抜き取り可能となり、
前記鍵によって前記錠前を前記施錠位置に移動させると、前記ダイヤル錠によって前記錠前の前記解錠位置への移動が規制されるとともに前記鍵が前記錠前から抜き取り不能になる、
ことを特徴とする施解錠装置。
【請求項２】
請求項１に記載の施解錠装置であって、
前記施解錠装置に回動可能に配設されたプーリーを備え、
前記紐状体の前記一端側は、前記プーリーを介して前記施解錠装置に取り付けられる、
ことを特徴とする施解錠装置。
【請求項３】
請求項２に記載の施解錠装置であって、
前記プーリーは、前記施解錠装置の背面に配置される、
ことを特徴とする施解錠装置。
【請求項４】
請求項１乃至３のいずれか一項に記載の施解錠装置であって、
前記錠前は、外筒と内筒を有するシリンダ錠であり、
前記鍵によって前記錠前の前記内筒を前記施錠位置に移動させると、前記ダイヤル錠によって前記内筒の回動が規制されるとともに前記外筒によって前記鍵の抜き取りが規制される、
ことを特徴とする施解錠装置。
【請求項５】
請求項４に記載の施解錠装置であって、
前記鍵によって前記錠前の前記内筒を前記解錠位置に移動させると、前記ダイヤル錠の前記所定のコードがリセットされる、
ことを特徴とする施解錠装置。
【発明の詳細な説明】
【技術分野】
【０００１】
本発明は、紐状体の一端を荷物（キャリーバックやカバン等）の持ち手に通した後、紐状体の一端を鍵で施解錠することができる施解錠装置に関する。
【背景技術】
【０００２】
従来、ワイヤを荷物（キャリーバックやカバン等）の持ち手に通した後、ワイヤの一端を鍵で施解錠できるように構成した施解錠装置が広く知られている（例えば、特許文献１参照）。
【０００３】
このような施解錠装置の一つとして、例えば、特許文献２には、一端を荷物室に固着し、他端に係止部が設けられた可撓性を有するワイヤと、このワイヤの係止部を係止するワイヤ係止具と、このワイヤ係止具の施錠・解錠を行うためのダイヤル錠を備えた施解錠装置が開示されている。
【先行技術文献】
【特許文献】
【０００４】
【特許文献１】特表平１１−５０８００３号公報
【特許文献２】特許第５２１９９１４号公報
【発明の概要】
【発明が解決しようとする課題】
【０００５】
しかしながら、特許文献２に記載の施解錠装置は、装置とは別に、装置を設置するための基板等の部材が必要な上に、設置のための工事が必要なため、部品点数が多くなる上に、設置場所の自由度が低いといった問題点があった。
【０００６】
本発明は、このような従来の問題点を解決するためになされたものであって、装置以外の部材が不要であり、設置が容易で、設置場所の自由度を高めることができる施解錠装置を提供することを目的とする。
【課題を解決するための手段】
【０００７】
本発明は、鍵によって解錠位置および施錠位置の一方から他方に移動可能な錠前と、前記錠前が前記施錠位置にあるときに所定のコードが設定された場合に前記錠前の前記解錠位置への移動を可能とするダイヤル錠と、を備えた施解錠装置であって、一端側が前記施解錠装置に取り付けられ、他端側に前記鍵が取り付けられた紐状体を備え、前記鍵によって前記錠前を前記解錠位置に移動させると、前記鍵が前記錠前から抜き取り可能となり、前記鍵によって前記錠前を前記施錠位置に移動させると、前記ダイヤル錠によって前記錠前の前記解錠位置への移動が規制されるとともに前記鍵が前記錠前から抜き取り不能になる、ことを特徴とする施解錠装置である。
【発明の効果】
【０００８】
本発明に係る施解錠装置によれば、装置以外の部材が不要であり、設置が容易で、設置場所の自由度を高めることができるという優れた効果を奏し得る。
【図面の簡単な説明】
【０００９】
【図１】施解錠装置１０の正面図である。
【図２】施解錠装置１０の右側面図である。
【図３】施解錠装置１０の背面図である。
【発明を実施するための形態】
【００１０】
以下、図面を用いて、本実施形態に係る施解錠装置１０について詳細に説明する。図１は、施解錠装置１０の正面図であり、図２は、施解錠装置１０の右側面図であり、図３は、施解錠装置１０の背面図である。
【００１１】
＜全体構成＞
最初に、施解錠装置１０の全体構成について説明する。
【００１２】
施解錠装置１０は、鍵１２によって解錠位置および施錠位置の一方から他方に移動可能な錠前１４と、この錠前１４が施錠位置にあるときに所定のコードが設定された場合に錠前１４の解錠位置への移動を可能とするダイヤル錠１６と、一端側が施解錠装置１０に取り付けられ、他端側に鍵１２が取り付けられた紐状体１８と、を有して構成される。
【００１３】
また、図３に示すように、施解錠装置１０の背面には、リング形状のプーリー２０が施解錠装置１０に対して回動可能にネジ２２で取り付けられ、紐状体１８は、このプーリー２０を介して施解錠装置１０に取り付けられている。
【００１４】
詳細は後述するが、この施解錠装置１０は、紐状体１８の一端を荷物（キャリーバックやカバン等）の持ち手に通した後、紐状体１８の一端を鍵１２で施解錠することができる施解錠装置であり、空港や駅等において、荷物（キャリーバックやカバン等）を一時的に預ける装置として適用することができる。
【００１５】
＜錠前＞
次に、施解錠装置１０の錠前１４について説明する。
【００１６】
本発明に係る「錠前」は、鍵によって解錠位置および施錠位置の一方から他方に移動可能な錠前であればよく、その種類や構造は特に限定されないが、本例では、錠前１４として、外筒１４ａと内筒１４ｂを有するディスクタンブラ式のシリンダ錠を適用している。
【００１７】
錠前１４の外筒１４ａは、施解錠装置１０の本体に固定され、内筒１４ｂは、外筒１４ａの内側空間内に外筒１４ａに対して回動可能に配設される。内筒１４ｂには、錠前１４の鍵１２が挿入可能な正面視が矩形状の鍵穴１４ｃが形成される。また、錠前１４の内部には、外筒１４ａと内筒１４ｂを横断する形で複数のディスク（図示省略）が配設される。
【００１８】
鍵１２を鍵穴１４ｃに差し込んでいない状態では、ディスクがバネ（図示省略）に押されて外筒１４ａと内筒１４ｂの境に跨って位置するために、外筒１４ａに対して内筒１４ｂが回動できない状態となる。一方、鍵穴１４ｃにキーコード（鍵１２に刻まれた凹凸）が合致する鍵１２を差し込んだ場合には、鍵１２の凹凸がディスクを移動（回動）させることで、ディスクが内筒１４ｂに収容され、内筒１４ｂは、外筒１４ａに対して自由に回動が可能となる。
【００１９】
内筒１４ｂは、解錠位置にあるときに鍵１２によって施錠方向（本例では、反時計周り）に回動すると、施錠位置まで移動可能であり、施錠位置にあるときに鍵１２によって解錠方向（本例では、時計周り）に回動すると解錠位置まで移動可能である。すなわち、内筒１４ｂは、鍵１２によって解錠位置および施錠位置の一方から他方に移動可能である。
【００２０】
ここで、錠前１４の「解錠位置」とは、鍵１２が錠前１４から抜き取り可能となる位置のことであり、本例では、図１に示すように、鍵穴１４ｃの長手方向一方が、施解錠装置１０の本体に施された「ＯＰＥＮ」の文字の方向に向かう位置である。この解錠位置においては、鍵１２は、内筒１４ｂおよび外筒１４ａに係止されないように構成されているため、錠前１４に対して自由に抜き差しすることができる。
【００２１】
一方、錠前１４の「施錠位置」とは、ダイヤル錠１６によって錠前１４の解錠位置への移動が規制される位置であって、鍵１２が錠前１４から抜き取り不能となる位置のことであり、本例では、鍵穴１４ｃの長手方向一方が、施解錠装置１０の本体に施された「ＬＯＣＫ」の文字の方向に向かう位置である。この施錠位置においては、鍵１２の先端部が外筒１４ａに係止されるように構成されているため、鍵１２は錠前１４から抜き取り不能となる。
【００２２】
なお、施錠位置において鍵１２を錠前１４から抜き取り不能とする構造や方法は、本例に限定されるものではなく、例えば、内筒１４ｂによって鍵１２を係止することで、鍵穴１４ｃに差し込んだ鍵１２を錠前１４から抜き取り不能としてもよいし、他の部材（ディスク等）で鍵１２を係止することで、鍵穴１４ｃに差し込んだ鍵１２を錠前１４から抜き取り不能としてもよい。
【００２３】
＜ダイヤル錠＞
次に、施解錠装置１０のダイヤル錠１６について説明する。
【００２４】
本発明に係る「ダイヤル錠」は、錠前が施錠位置にあるときに所定のコード（暗証番号等）が設定された場合に錠前の解錠位置への移動を可能とするダイヤル錠であればよく、その種類や構造は特に限定されないが、本例では、ダイヤル錠１６として、従来公知の数字合わせ錠を適用している。
【００２５】
ダイヤル錠１６は、錠前１４が解錠位置にあるときに所定のコード（本例では、数字の組合せからなる暗証番号）を自由に設定可能（記憶可能）であるとともに、錠前１４が施錠位置にあるときに、解錠位置で記憶させた所定のコードを設定することで錠前１４を解錠位置まで移動することが可能である。ダイヤル錠１６は、錠前１４の内筒１４ｂの回動と連動して長手方向にスライド可能な板状部材からなるスライダ１６ａを備える。
【００２６】
内筒１４ｂが施錠方向（反時計回り）に回動すると、ダイヤル錠１６のスライダ１６ａは、内筒１４ｂの回動に連動して、施錠方向（本例では、水平方向左側）に移動（スライド）し、解錠位置から施錠位置に移動する。
【００２７】
スライダ１６ａが施錠位置にあるときに、解錠位置で記憶させた所定のコードが設定されていない場合には、スライダ１６ａの解錠方向（本例では、水平方向右側）への移動（スライド）が規制されるため、これに連動する内筒１４ｂの回動も規制される。すなわち、ダイヤル錠１６（のスライダ１６ａ）の移動（スライド）が不能となることで、錠前１４（の内筒１４ｂ）の解錠位置への移動が規制される。
【００２８】
一方、スライダ１６ａが施錠位置にあるときに、解錠位置で記憶させた所定のコードが設定された場合には、スライダ１６ａの解錠方向（水平方向右側）への移動が可能となるため、鍵１２によって内筒１４ｂが解錠方向（時計回り）に回動されると、これに連動するスライダ１６ａは解錠方向（水平方向右側）に移動し、施錠位置から解錠位置に移動する。
【００２９】
なお、スライダ１６ａが施錠位置から解錠位置に移動すると、解錠位置で記憶させた所定のコードが自動的に初期コード（本例では「００００」）にリセットされ、この状態では、新たに所定のコード（暗証番号）が設定（記憶）されない限り、錠前１４を施錠方向に回動できないように構成されている。
【００３０】
＜紐状体＞
次に、施解錠装置１０の紐状体１８について説明する。
【００３１】
本発明に係る「紐状体」は、一端側が施解錠装置に取り付けられ、他端側に鍵が取り付けられた紐状体であればよく、その素材等は特に限定されないが、本例では、紐状体１８として、可撓性を有するワイヤを適用している。
【００３２】
図２に示すように、紐状体１８の一端側は、プーリー２０を介して施解錠装置１０の本体の背面に取り付けられ、他端側には、錠前１４の鍵１２が取り付けられている。なお、鍵１２のキーコード（鍵１２に刻まれた凹凸）は、錠前１４に合致するキーコード（外筒１４ａに対して内筒１４ｂが自由に回動できるキーコード）であることは言うまでもない。
＜施解錠装置の利用例＞
【００３３】
次に、施解錠装置１０の利用例について説明する。
【００３４】
最初に、利用者は荷物（キャリーバックやカバン等）を施解錠装置１０に預ける場合に、未使用状態の施解錠装置１０を見つける必要がある。ここで、施解錠装置１０が未使用状態であるか否かは、鍵穴１４に差し込まれた鍵１２が、施解錠装置１０の本体に施された「ＯＰＥＮ」の文字の方向に向かう位置になっていること（錠前１４の内筒１４ｂが解錠位置にあること）や、鍵１２が錠前１４から引き抜かれており、紐状体１８が未使用の状態になっていること、等によって容易に判断することができる。
【００３５】
続いて、利用者は、鍵穴１４に鍵１２が差し込まれていれば鍵１２を抜き取った後（鍵穴１４に鍵１２が差し込まれていなければ紐状体１８を手に取って）、荷物の持ち手等を紐状体１８に通し、紐状体１８に取り付けられた鍵１２を、錠前１４の鍵穴１４ｃに差し込んで施解錠装置１０に荷物をセットする。
【００３６】
続いて、利用者は、ダイヤル錠１６を操作して任意のコード（暗証番号）を設定した後、鍵１２によって錠前１４を施錠方向（反時計回り）に回動させることで、ダイヤル錠１６によって錠前１４の解錠位置への移動が規制され、かつ、鍵１２が錠前１４から抜き取り不能となるため、荷物を一時的に預けることができる。
【００３７】
なお、未使用状態の施解錠装置１０では、ダイヤル錠１６のコードが初期コード（本例では、「００００」）にリセットされており、この状態では、新たにコード（暗証番号）が設定（記憶）されない限り、錠前１４を施錠方向（反時計回り）に回動できないように構成されている。このため、利用者は必ずダイヤル錠１６の操作によりコード（暗証番号）を設定しなければならず、利用者がコード（暗証番号）を設定し忘れることがない。
【００３８】
また、ダイヤル錠１６を操作して任意のコード（暗証番号）を設定し、鍵１２によって錠前１４を施錠方向（反時計回り）に回動させると、コードが自動的に初期コード（「００００」）にリセットされるように構成されているため、利用者が設定したコード（暗証番号）がダイヤル錠１６で表示されたままになることがなく、第三者にコード（暗証番号）が知られてしまう恐れがない。
【００３９】
利用者が一時的に預けた荷物を受け取る場合には、ダイヤル錠１６を操作して利用者が設定したコード（暗証番号）を設定し、かつ、鍵１２によって錠前１４を解錠方向（時計回り）に回動させることで、鍵１２が抜き取り可能となるため、紐状体１８に通した荷物の持ち手等を外すことで、荷物を受け取ることができる。なお、錠前１４の内筒１４ｂが解錠位置に移動すると、次の利用者がコード（暗証番号）を設定し忘れることがないように、コードが自動的に初期コード（「００００」）にリセットされる。
【００４０】
以上説明したように、本実施形態に係る施解錠装置（例えば、図１に示す施解錠装置１０）は、鍵（例えば、図１に示す鍵１２）によって解錠位置（例えば、図１に示す、鍵穴１４ｃの長手方向が、施解錠装置１０の本体に施された「ＯＰＥＮ」の文字の方向に向かう位置）および施錠位置（例えば、鍵穴１４ｃの長手方向が、施解錠装置１０の本体に施された「ＬＯＣＫ」の文字の方向に向かう位置）の一方から他方に移動可能な錠前（例えば、図１に示す錠前１４）と、前記錠前が前記施錠位置にあるときに所定のコード（例えば、暗証番号）が設定された場合に前記錠前の前記解錠位置への移動を可能とするダイヤル錠（例えば、図１に示すダイヤル錠１６）と、を備えた施解錠装置であって、一端側が前記施解錠装置に取り付けられ、他端側に前記鍵が取り付けられた紐状体（例えば、図１に示す紐状体１８）を備え、前記鍵によって前記錠前を前記解錠位置に移動させると、前記鍵が前記錠前から抜き取り可能となり、前記鍵によって前記錠前を前記施錠位置に移動させると、前記ダイヤル錠によって前記錠前の前記解錠位置への移動が規制されるとともに前記鍵が前記錠前から抜き取り不能になる、ことを特徴とする施解錠装置である。
【００４１】
本実施形態に係る施解錠装置１０によれば、装置以外の部材が不要であり、設置が容易で、設置場所の自由度を高めることができる。
【００４２】
なお、施解錠装置に回動可能に配設されたプーリー（例えば、図３に示すプーリー２０）を備え、前記紐状体の前記一端側は、前記プーリーを介して前記施解錠装置に取り付けられていてもよい。
【００４３】
このような構成とすれば、プーリーの回動によって紐状体の端部にかかる荷重を逃がすことができ、紐状体をネジ等で装置に固定した場合に比べて、紐状体の寿命を延ばすことができる上に、紐状体が装置から外れてしまうような不具合を未然に防止することができる。また、紐状体の捻じれ等を防止することで、利用者の利便性を高めることもできる。
【００４４】
また、前記プーリーは、前記施解錠装置の背面に配置されていてもよい。
【００４５】
このような構成とすれば、装置を壁面等に設置することで、紐状体の一端を壁面等と施解錠装置の背面との間に隠すことができるため、紐状体を故意に取り外すことが難しく、装置の防犯性を高めることができる。
【００４６】
また、前記錠前は、外筒（例えば、図１に示す外筒１４ａ）と内筒（例えば、図１に示す内筒１４ｂ）を有するシリンダ錠であり、前記鍵によって前記錠前の前記内筒を前記施錠位置に移動させると、前記ダイヤル錠によって前記内筒の回動が規制されるとともに前記外筒によって前記鍵の抜き取りが規制されるものであってもよい。
【００４７】
このような構成とすれば、既存のシリンダ錠と既存のダイヤル錠の組み合わせで装置を構成することができ、コストの低減や納期の短縮等を実現することができる。
【００４８】
また、前記鍵によって前記錠前の前記内筒を前記解錠位置に移動させると、前記ダイヤル錠の前記所定のコードがリセットされるものであってもよい。
【００４９】
このような構成とすれば、利用者がダイヤル錠のコードを設定し忘れることを防止することができ、装置の防犯性をさらに高めることができる。
【００５０】
なお、本発明に係る施解錠装置の構成は、本実施形態に係る施解錠装置１０の構成に限定されず、例えば、錠前１４の内筒１４ｂをディスクタンブラ式の錠前で構成したが、ピンタンブラ式など、他の方式の錠前で構成してもよい。また、ダイヤル錠１６を数字合わせ錠で構成したが、文字合わせ錠など、他の種類のダイヤル錠で構成してもよい。また、紐状体１８をワイヤで構成したが、他の素材を適用してもよい。
【産業上の利用可能性】
【００５１】
本発明に係る施解錠装置は、空港や駅等において、荷物（キャリーバックやカバン等）を一時的に預ける装置として利用することができる。
【符号の説明】
【００５２】
１０  施解錠装置
１２  鍵
１４  錠前
１４ａ  外筒
１４ｂ  内筒
１４ｃ  鍵穴
１６  ダイヤル錠
１６ａ  スライダ
１８  紐状体
２０  プーリー
２２  ネジ
【図１】
2020204154.tif 000003
【図２】
2020204154.tif 000004
【図３】
2020204154.tif 000005